Podtech/llm-jp-corpus-v4-ja_patent huggingface dataset:
(57)【要約】【課題】  発酵槽内でメタン等の炭化水素化合物を発生させる炭化水素化合物発生装置において、発酵槽を屋外等に設置した場合、気温が低い夜間や冬季等において発酵が不十分となり、炭化水素化合物の発生効率が低下して炭化水素化合物の発生量が減少する場合があった。【解決手段】  発酵槽内に燃料電池や火力発電装置や原子力発電設備等の発電装置、または製鉄設備である溶鉱炉や石炭を蒸し焼きにする装置などから排出された排熱を伝導して、発酵槽内の温度を発酵効率が高まる水準まで高めることにより、発酵槽内における発酵効率を高める。【選択図】図１
2010022353.tif 000002
【特許請求の範囲】
【請求項１】
発酵槽（１）でメタン等の炭化水素化合物を発生させる炭化水素化合物発生装置において、排熱を伝える熱伝導媒体を介して発電装置（２）から出た排熱を該発酵槽（１）に伝導して、該発酵槽（１）内の温度を高め、炭化水素化合物の発生効率を向上させたことを特徴とする、炭化水素化合物発生装置。
【請求項２】
請求項１において、前記発電装置は燃料電池であるであることを特徴とする、炭化水素化合物発生装置。
【請求項３】
請求項１において、前記発電装置は火力による発電設備であるであることを特徴とする、炭化水素化合物発生装置。
【請求項４】
請求項１において、前記発電装置は原子力による発電設備であるであることを特徴とする、炭化水素化合物発生装置。
【請求項５】
発酵槽（１）でメタン等の炭化水素化合物を発生させる炭化水素化合物発生装置において、排熱を伝える熱伝導媒体を介して製鉄設備から排出された排熱を該発酵槽（１）に伝導して、該発酵槽（１）内の温度を高め、炭化水素化合物の発生効率を向上させたことを特徴とする、炭化水素化合物発生装置。
【発明の詳細な説明】
【技術分野】
【０００１】  発酵槽でメタン等の炭化水素化合物を発生させる炭化水素化合物発生装置
【背景技術】
【０００２】
【特許文献１】特開２００２−３０７０６５
【発明の開示】
【発明が解決しようとする課題】
【０００３】  屋外に設置した発酵槽は、気温が低い夜間や冬季などにおいて発酵が不十分となり、そのために炭化水素化合物の発生効率が低下して、炭化水素化合物の発生量が減少する場合があった。
【課題を解決するための手段】
【０００４】  発酵槽（１）でメタン等の炭化水素化合物を発生させる炭化水素化合物発生装置において、発酵槽（１）内に燃料電池や火力発電装置や原子力発電設備等の発電装置、または製鉄設備などから出た排熱を伝導して、発酵槽（１）内の温度を発酵効率が高まる水準にまで高める。
【発明の効果】
【０００５】  発電装置の排熱を利用して発酵槽（１）内の温度を高めて発酵効率を向上させることで、発酵槽（１）で発生させるメタン等の炭化水素化合物の発生量を増加させることができる。
また、発電装置の排熱の有効利用によって、発電装置のエネルギー効率を向上させる。
【実施例】
【０００６】  以下に本発明の実施例を説明する。
図１は本発明における発電装置が燃料電池である場合の実施例１である。
家屋やビルなどの建物（４）から排出された排水や屎尿等用の配管（５）と、上水用の配管（６）を燃料電池（２）の排熱回収装置等の熱貯留部に接触させて、排水や屎尿等と上水の温度を高める。温度が高まった排水や屎尿等と上水を発酵槽（１）に流入させて、発酵槽（１）内の温度を高め、発酵効率を向上させることによりメタン等の炭化水素物の発生量を増加させる。メタン等の炭化水素物を改質して水素を発生させる改質槽（３）に発酵槽（１）で発生したメタン等の炭化水素物を注入する。燃料電池（２）に酸素と前期改質槽（３）で発生させた水素を注入して電気と排熱水を発生させる。燃料電池（２）で発生させた電気と排熱水を、排熱水用の配管（７）と電線（８）を通じて建物に供給する。
実施例１では排水や屎尿等と上水の両方によって燃料電池（２）で発生した排熱を伝導させているが、排水や屎尿等と上水のいずれか片方によって排熱を伝導させてもよい。また、上水は発酵槽（１）に注入せずに、排水や屎尿等のみを発酵槽（１）に注入して、排熱を伝導させてもよい。【０００７】  次に、図２は本発明における発電装置が燃料電池である場合の実施例２である。
家屋やビルなどの建物（４）から排出された排水や屎尿等用の配管（５）を通じて排水や屎尿等を発酵槽（１）に注入する。メタン等の炭化水素物を改質して水素を発生させる改質槽（３）に発酵槽（１）で発生したメタン等の炭化水素物を注入する。改質槽（３）で発生させた水素と酸素を燃料電池（２）に注入して電気と排熱水を発生させる。燃料電池（２）で発生した排熱水用の配管（７）の一部を発酵槽（１）の一部に接触させて排熱水の熱を発酵槽（１）に伝導させる。また、排熱水用の配管（７）を接続させた貯湯槽（９）と繋がる配管（１０）の一部を発酵槽（１）の一部に接触させて排熱水の熱を発酵槽（１）に伝導させる。燃料電池（２）で発生させた電気と排熱水を、排熱水用の配管（７）と電線（８）を通じて建物に供給する。【０００８】  なお、本発明における、熱を伝える熱伝導媒体とは、実施例に示した排水・屎尿等や水などの液体の他に、金属等の個体や水蒸気等の気体又はそれらの組み合わせでもよい。
また、請求項５における製鉄設備とは溶鉱炉や石炭を蒸し焼きする設備などである。
【図面の簡単な説明】
【０００９】
【図１】本発明における発電装置が燃料電池である場合の実施例１を示す図面である。
【００１０】
【図２】本発明における発電装置が燃料電池である場合の実施例２を示す図面である。
【符号の説明】
１発酵槽
２燃料電池
３改質槽
４建物
５排水や屎尿等用の配管
６上水用の配管
７排熱水用の配管
８電線
９貯湯槽
１０貯湯槽と繋がる配管
【図１】
2010022353.tif 000003
【図２】
2010022353.tif 000004
(57)【要約】【課題】本発明は、装飾として、植木鉢の高さを任意に調整できる植木鉢を実現することを課題とする。【解決手段】筒型の本体部と、本体部内部に植木鉢、生花、造花、ディスプレイ等を収める収容部と、本体部底面に設けたキャスター部と、転倒防止嵌め込み型土台とからなることを特徴とするスタンド型植木鉢とした。【選択図】図１
2010022352.tif 000002
【特許請求の範囲】
【請求項１】
筒型の本体部と、
本体部内部に植木鉢、生花、造花、ディスプレイ等を収める収容部と、
本体部底面に設けたキャスター部と、転倒防止嵌め込み型土台と、
からなることを特徴とするスタンド型植木鉢。
【請求項２】
前記収容部は、
本体部内部に、既製の植木鉢を収めて受ける鉢受け部が
設けられている
ことを特徴とするスタンド型植木鉢。
【請求項３】
前記収容部は、
植物に水遣りの水を受ける水受け部が
設けられている
ことを特徴とするスタンド型植木鉢。
【発明の詳細な説明】
【技術分野】
【０００１】本発明は、花、草、木などの植物を植える植木鉢において、植木鉢の安定性・移動性を高めると共に美観向上・広告使用も可能にしたスタンド型植木鉢に関する。
【背景技術】
【０００２】植木鉢、生花、造花は、装飾として価値を高めるためには、サポート器具が必要であった。
【発明の開示】
【発明が解決しようとする課題】
【０００３】装飾として、植木鉢の高さを調整できることを課題とする。
【課題を解決するための手段】
【０００４】上記課題を解決するため、本発明においては、次の技術的手段を講じている。【０００５】発明の請求項１は、筒型の本体部と、
本体部内部に植木鉢、生花、造花、ディスプレイ等を収める収容部と、
本体部底面に設けたキャスター部と、転倒防止嵌め込み型土台とからなることを特徴とするスタンド型植木鉢である。【０００６】筒型の本体部とは、内部が空洞をなした筒状のものをいう。
筒の断面形状は、円形でも多角形でも良い。【０００７】発明の請求項２は、
前記収容部は、本体部内部に、既製の植木鉢を収めて受ける鉢受け部が
設けられていることを特徴とするスタンド型植木鉢である。
鉢受台を設定することで植木を高くすることができ、装飾の価値観を高めることができる。【０００８】発明の請求項３は、
前記収容部は、植物に水遣りの水を受ける水受け部が
設けられていることを特徴とするスタンド型植木鉢である。
水受けポリバケツによって水溜めができる。逐次給水する必要が無くなり、長期のメンテナンスが可能である。
【発明の効果】
【０００９】本発明では以下のような効果がある。【００１０】１）美観向上、広告、イベント等、多目的に使用できる。【００１１】２）メンテナンス、維持管理に役立つ。【００１２】３）利用者側にとっても、自由に創意工夫、発想展開できる。【００１３】４）装飾技術者の意識を高め、装飾器具によって発想を豊かにする。【００１４】５）装飾する場所、目的に応じて、任意にセットすることができる。【００１５】６）多角形とすることにより、設置移動、高低、利便性を工夫できる。【００１６】７）装飾器具の機能性を装飾技術者が任意に活かすことができる。【００１７】８）水耕園芸に使用することができるので、草花アレンジメントが可能である。【００１８】９）土を使用しないハイドロカルチャーを用いて、大小の植木鉢を組み合わせてアレンジメントができる。
【発明を実施するための最良の形態】
【００１９】以下、本発明の実施形態について図面を用いて説明する。【００２０】図１は、本実施例にかかるスタンド型植木鉢の実施例を示す断面図である。【００２１】本発明のスタンド型植木鉢は、上下が開放された円筒体からなる、円筒型スタンドの内面に受台座ストッパーが設けられ、該ストッパーに受台座を載置し、その上にポリバケツを設置する。【００２２】円筒型スタンドの上面と底面には、Ｕパッキン円縁カバーが取り付けられている。【００２３】円筒型スタンドは、高さ・円径寸法を使用目的に合わせて任意に変更できる。【００２４】受台座ストッパーを取付けることによって受台座の安定が図られている。【００２５】また、受台座にポリバケツを設置し、該水受けポリバケツによって水溜めができる。【００２６】図２は、キャスター付きスタンド型植木鉢の実施例を示す断面図である。【００２７】本実施例では、円筒型スタンドの底面にキャスターが取り付けられたキャスター台座が設けられており、キャスター台座ストーパーで固定されている。【００２８】キャスターを設置することによって移動が容易にできる。【００２９】図３は、安定台座を設けたスタンド型植木鉢の実施例を示す図である。【００３０】本実施例では、安定台座が円筒型スタンドの底面にはめ込まれている。この安定台座により、円筒型スタンドの転倒防止の必要性に対応できるようになっている。【００３１】安定台座には、円筒型スタンドの底部に容易に嵌め込むことができるように、位置合わせ用の爪が設けられている。
【図面の簡単な説明】
【００３２】
【図１】本発明によるスタンド型植木鉢の一実施例を示す断面図である。
【図２】本発明によるキャスター付きスタンド型植木鉢の一実施例を示す断面図である。
【図３】本発明による安定台座を設けたスタンド型植木鉢の一実施例を示す図である。
【図１】
2010022352.tif 000003
【図２】
2010022352.tif 000004
【図３】
2010022352.tif 000005
(57)【要約】      （修正有）【課題】上面から観賞魚を鮮明に見ることのできる観賞魚用水槽を提供する。【解決手段】水面に平滑な天板１を密着させて、水面が波立つなどによる光の乱反射を抑えることにより鑑賞層８の上面から鮮明に観賞魚を鑑賞することができる。【選択図】図３
2010022351.tif 000002
【特許請求の範囲】
【請求項１】
水面と天板の間隙を無くし、上面から観賞魚を鮮明に見ることを目的とした水槽
【請求項２】
前記水槽の水面と天板の間隙を無くすため、揚水装置による水流と水平調節機構により、空気を排出する機能を設けた水槽
【請求項３】
前記水槽の生体に餌を供給するために揚水装置を利用する機能を設けた水槽
【請求項４】
前記水槽の濾過槽を好気濾過と嫌気濾過を効率的に区分した水槽
【請求項５】
前記水槽の鑑賞槽から濾過槽への排出口を２段にすることにより好気濾過と嫌気濾過を効率的に区分した水槽
【発明の詳細な説明】
【技術分野】
【０００１】  この発明は、観賞魚の水槽に関する。
【背景技術】
【０００２】  従来、熱帯魚・海水魚・金魚などの観賞魚は側面から見るための水槽が多数を占めた。また、従来の上面から見るための水槽（実用新案公開平５−９１３１８など）は水面と天板部に間隙があり、水面が波立つなどの乱反射により鮮明に鑑賞することができなかった。
また、特許出願平４−４７５２８の水槽は天板テーブルが凸状のため、製造コストが高くなるなど実用化の問題があった。
【発明の開示】
【発明が解決しようとする課題】
【０００３】上面から鮮明に鑑賞するためには水面を波立たせず、また、水面と天板部の間隙を無くす必要がある。また、水面が無いため別途給餌機構が必要である。
【課題を解決するための手段】
【０００４】水面と天板部の間隙を無くすため、外周よりも適宜低い一辺からオーバーフローした水が濾過槽へと流れ落ちるようにする。そうすると、表面張力により水面と天板は密着した状態となる。まれに空気溜りができることがあるが、揚水ポンプからの水流や４脚の高さ調節等により水平調節し、空気を排出することが出来る。
給餌方法については、餌を揚水ポンプから吸い込むようにすると生体層に餌が行き渡る。
天板を外す際は揚水装置を止め、生体層から濾過槽に水が流れて水位が下がってから天板を外せばよい。
外周と天板の接線はゴムまたはウレタン製等のパッキンを設けることで水は漏れない。
【発明の効果】
【０００５】水面と天板部の間隙を無くすことにより、水槽内の観賞魚を鮮明に鑑賞できる。
【発明を実施するための最良の形態】
【０００６】本発明の最良の形態の一つとして、（以下図１参照）水面と▲１▼天板部の間隙をなくす方法を説明する。▲５▼揚水装置により、水は▲２▼揚水管を通り▲８▼鑑賞槽に送水（Ａ）される。
▲８▼鑑賞槽が水で満たされると、送水（Ｄ）を経由し▲７▼濾過槽に回帰する。
▲８▼鑑賞槽が水が満たされた状態においては、水面と▲１▼天板は表面張力により密着される。
▲６▼流量調節弁は送水（Ｃ）の流量を調節し、送水（Ｄ）よりも低い位置に設置することを特徴とする。
前期▲６▼流量調節弁の利用方法は溶存酸素の少ない状態を好む嫌気バクテリアのために流量を減らすことにある。嫌気バクテリアは硝酸を窒素に分解するため、良い水質の長期維持に有効である。
また、▲６▼流量調節弁により鑑賞槽の水位を瞬時に下げることができるが、メンテナンスのために天板部を開放する前に緩めるとメンテナンス作業を迅速に行える。【０００７】「他の実施形態」
底面部を通過して嫌気濾過槽への送水はコックや一定流量弁にて流量を調節されるが、送水モーターによる調節や開口面積をにより流量を一定にてもよい。また水位差により流量を調節することもできる。本発明は天板部を開放しないことから、テーブルとしてだけでなく床下に格納することも可能である。
【図面の簡単な説明】
【０００８】
【図１】この発明の一実施形態を示す水槽の側面図である。
【図２】この発明の水面と天板が密着部における表面張力現象の拡大図である。
【図３】この発明の別形態の側面図である。
【符号の説明】
【０００９】▲１▼天板
▲２▼揚水管
▲３▼好気濾過
▲４▼嫌気濾過
▲５▼揚水装置
▲６▼流量調節弁
▲７▼濾過槽
▲８▼鑑賞槽
▲９▼表面張力
矢印Ａ、揚水装置により送水
矢印Ｂ、底面の好気濾過、嫌気濾過を通過
矢印Ｃ、調節弁により水を適宜排出
矢印Ｄ、水槽内のオーバーフローした分を排出
【図１】
2010022351.tif 000003
【図２】
2010022351.tif 000004
【図３】
2010022351.tif 000005
(57)【要約】【課題】  画像の高精細化に伴って、様々な画像処理の負荷が増大するとともに、視覚的にも見疲れする画像が増加している。【解決手段】  人の視覚には、画像上で不規則な色彩変化の密集する領域を注視する傾向があることを利用する。画像各部の注視度合いを推定することによって、画像処理を注視度合いの高い領域に限定して演算の負荷を軽減することや、注視度合いの低い領域を強く平滑化して画像の視認性を改善することが可能となる。【選択図】  図１
2010039973.tif 000002
【特許請求の範囲】
【請求項１】
対象画像に対し、規則性のある色彩変化を抑制する手段と、エッジ抽出および平滑化により色彩変化の密度分布を得る手段と、を備えることを特徴とする、画像の各部に対する人の注視度合いを推定する方法。
【請求項２】
対象画像に対し、請求項１の方法と、注視度合いが低いと推定された領域を強く平滑化する手段を備えることを特徴とする、視認性の高い画像を生成する方法。
【発明の詳細な説明】
【技術分野】
【０００１】
本発明は、視認性のよい画像を生成するための画像処理に関する。
【背景技術】
【０００２】
画像のエッジ近傍の情報を維持しつつ平滑化して雑音除去する方法がある（例えば、特許文献１参照。）。本発明では、抽出エッジの密集具合をもとに、密集していない領域であればエッジであっても平滑化する。
【特許文献１】特公開２００４−２１４７５６
【発明の開示】
【発明が解決しようとする課題】
【０００３】
高精細画像は視覚的に重要でない多くの細部情報を提示するため、様々な画像処理の負荷が増大するのみならず、視覚的にも見疲れする、訴求力が低下する、などの問題がある。
【課題を解決するための手段】
【０００４】
本発明は、画像上で人の注意が向く領域を推定し、注視度合いに応じた画像処理を可能とする。人の視覚には不規則な色彩変化の密集する領域を注視する傾向があることを利用する。
【０００５】
請求項１では、まず対象画像から、テクスチャのような規則性のある色彩変化を抑制する。これには規則的な色彩変化に含まれる主要な周波数成分を減衰させるフィルタを用いる。つぎに、各画素においてエッジ強度を抽出した画像を生成し、これを強く平滑化することにより、画像各部での色彩変化の密集具合を数値化する。これを注視度合い推定図とする。
【０００６】
請求項２では、注視度合い推定図を用い、対象画像から人の注意が向かない領域の情報を強く削減する。対象画像の各画素において、対応する注視度合い推定値が低いほど高域周波数成分の遮断量が増加する、特性可変型のフィルタを適用する。これにより視認性が向上した画像が得られる。
【発明の効果】
【０００７】
請求項１を用い、画像処理を注視度合いの高い領域に限定することで、演算負荷を軽減することができる。
【０００８】
請求項２により処理された画像は、注視領域の鮮明さを維持したまま多くの細部情報が減衰する。このため視覚は注視領域に迅速に集中することができるうえ、長時間の観賞による疲労も軽減される。
【発明を実施するための最良の形態】
【０００９】
撮像装置および表示装置を備えたコンピュータ上に画像変換プログラムとして実装する。撮像装置より得られたデジタル画像データを記憶装置に蓄積し、ＣＰＵによるプログラム処理でデータを変換して表示装置に表示する。
【実施例】
【００１０】
ＣＰＵによるプログラム処理により、画像各部の注視度合いを推定して画像を補正する構成を図１に示す。
【００１１】
請求項１では、まず対象画像０ａに対し、規則性のある色彩変化を減衰させる手段１ａとして、移動平均法による低解像度変換を用いて長辺１６０画素程度の縮小画像を得る。これにより目の細かい生地模様などが中間色に平滑化される。つぎに、色彩変化の密度分布を得る手段１ｂにおいて、各画素における周辺画素とのＬａｂ色空間上の距離平均を求めたエッジ画像を生成し、この画像を分散値σ＝４程度のガウスフィルタで平滑化する。これにより得られた色彩変化量の分布を注視度合い推定図１ｃとする。対象画像の一例として図２の写真を用い、本方式を適用して得られた注視度合い推定図が図３である。明度の高い部分が不規則な色彩変動の密集した領域を表す。
【００１２】
請求項２では、もとの対象画像０ａの各部において、注視度合い推定値に基づいた適応的な平滑化を行う。各画素において、対応する位置の注視度合い推定値が低いほどσを増加させる特性可変型ガウスフィルタ２ａを適用する。例えば対象画像が長辺６４０画素であれば、推定値０近傍でσ＞１０程度に調整する。これにより、注視度合いの低い領域が強く平滑化された視認性のよい画像２ｂが得られる。図２の写真に対して本方式を適用して得られた画像が図４である。
【産業上の利用可能性】
【００１３】
請求項１は、デジタルカメラの撮影機構への応用も考えられる。被写体背景に注視度合いの高い領域が検出されたときに、被写界深度を自動調整して周辺の色彩変化を抑制すれば、被写体の視認性を高めることができる。
【００１４】
請求項２は、映像機器に組み込んで映画やドラマなどの動画を実時間補正すれば、見疲れしない映像を楽しむことができる。
【図面の簡単な説明】
【００１５】
【図１】画像各部の注視度合いを推定して画像を補正する処理の構成図
【図２】対象画像の一例となる写真
【図３】実施例により生成された注視度合い推定図
【図４】実施例により視認性の改善された写真
【図１】
2010039973.tif 000003
【図２】
2010039973.tif 000004
【図３】
2010039973.tif 000005
【図４】
2010039973.tif 000006
(57)【要約】【課題】本発明は、製造時における電解質膜の損傷を抑制することができる膜−電極接合体の製造方法を提供する。【解決手段】本発明は、電解質膜の両側に拡散層の一方の面に触媒層を形成した電極を接合させてなる燃料電池用膜−電極接合体の製造方法であって、前記電解質膜を連続して搬送させる工程と、前記搬送した電解質膜に前記触媒層が前記電解質膜側となる状態で前記電極を接合する工程と、前記電極を接合した電解質膜を所定の大きさに切断する工程と、を備えるものである。【選択図】図１
2010165539.tif 000002
【特許請求の範囲】
【請求項１】
電解質膜の両側に、拡散層の一方の面に触媒層を形成した電極を接合させてなる燃料電池用膜−電極接合体の製造方法であって、
前記電解質膜を連続して搬送させる工程と、
前記搬送した電解質膜に前記触媒層が前記電解質膜側となる状態で前記電極を接合する工程と、
前記電極を接合した電解質膜を所定の大きさに切断する工程と、を備えることを特徴とする燃料電池用膜−電極接合体の製造方法。
【発明の詳細な説明】
【技術分野】
【０００１】
本発明は、燃料電池用膜−電極接合体の製造方法に関する。
【背景技術】
【０００２】
一般的に燃料電池は、電解質膜と、電解質膜の両側にアノード極及びカソード極とを配置した膜−電極接合体を備える。アノード極及びカソード極は、電解質膜側から触媒層及び拡散層を順次備えている。
【０００３】
近年、燃料電池の量産化に向けた膜−電極接合体の製造方法が検討されている。例えば、特許文献１には、連続して搬送される電解質膜に触媒層をホットプレスにより接合したり、連続して搬送される触媒層担持電解質膜に拡散層をホットプレスにより接合する膜−電極接合体の製造方法が開示されている。
【０００４】
また、特許文献２，３には、燃料電池のセル単位に切断された電解質膜に、予め触媒層を形成した拡散層を接合する膜−電極接合体の製造方法が開示されている。
【先行技術文献】
【特許文献】
【０００５】
【特許文献１】特開２００６−１３４６１１号公報
【特許文献２】特開２００８−１６４３１号公報
【特許文献３】特開２００７−４８５６８号公報
【発明の概要】
【発明が解決しようとする課題】
【０００６】
しかし、特許文献１の膜−電極接合体の製造方法では、電解質膜の面上に触媒層を形成するため、触媒層を形成する際に使用する溶媒等によって、電解質膜が化学的又は機械的な損傷を受ける場合がある。
【０００７】
また、特許文献２の膜−電極接合体の製造方法では、触媒層及び拡散層を電解質膜に接合する前に、電解質膜を所定の大きさ（燃料電池セルの寸法）に切断するため、切断時の応力により、電解質膜が損傷する場合がある。
【０００８】
そこで、本発明は、製造時における電解質膜の損傷を抑制することができる膜−電極接合体の製造方法を提供する。
【課題を解決するための手段】
【０００９】
本発明は、電解質膜の両側に拡散層の一方の面に触媒層を形成した電極を接合させてなる燃料電池用膜−電極接合体の製造方法であって、前記電解質膜を連続して搬送させる工程と、前記搬送した電解質膜に前記触媒層が前記電解質膜側となる状態で前記電極を接合する工程と、前記電極を接合した電解質膜を所定の大きさに切断する工程と、を備えるものである。
【発明の効果】
【００１０】
本発明によれば、製造時における電解質膜の損傷を抑制することができる。
【図面の簡単な説明】
【００１１】
【図１】本実施形態に係る燃料電池用膜−電極接合体の製造方法の一例を説明するための図である。
【発明を実施するための形態】
【００１２】
本発明の実施の形態について以下説明する。
【００１３】
図１は、本実施形態に係る燃料電池用膜−電極接合体の製造方法の一例を説明するための図である。図１に示すように、ステップＳ１０では、電解質膜が巻かれた巻出しローラから電解質膜を連続して搬送する。電解質膜としては、プロトン等のイオン伝導性を示す材料であれば特に制限されるものではなく、例えば、パーフルオロスルホン酸系等の固体高分子電解質膜が用いられる。
【００１４】
次に、ステップＳ１２では、搬送した電解質膜の両側に電極（一方の面にアノード極、他方の面にカソード極）を接合する。この電極は、拡散層と触媒層とを備えるものであり、拡散層の一方の面に触媒層が形成されている。そして、搬送された電解質膜に触媒層が電解質膜側となる状態で該電極を接合する。
【００１５】
触媒層を構成する材料としては、白金等を含む金属又は合金等を含有する触媒をカーボンブラック等の炭素材料等の触媒担持体に担持させた触媒層原料を、例えば、水やエタノール等の分散媒に分散させて液状またはペースト状としたいわゆる触媒インクが適用される。そして、例えば、予め準備した拡散層の基材表面に、上記の触媒インクを噴霧又は塗布等により所望する触媒層の形状に形成し、乾燥させることにより、拡散層の面に触媒層が形成される。なお、アノード極に用いる触媒層の材料及びカソード極に用いる触媒層の材料は、その組成が同じであっても、異なるものであってもよい。
【００１６】
拡散層としては、導電性が高く、燃料及び空気等の原料の拡散性が高い材料であれば特に制限されるものではないが、多孔質導電性材料であることが好ましい。導電性の高い材料としては、例えば、金属フィルム、導電性高分子、カーボン材料等が挙げられ、カーボンクロス、ガラス状カーボン等のカーボン材料等が好ましい。
【００１７】
このような電極を電解質膜に接合する方法は、特に制限されるものではないが、例えば、電極間（アノード極及びカソード極）に電解質膜を挟み込んだ後、ホットプレス等により接合する方法等が挙げられる。
【００１８】
このように、本実施形態では、触媒層を予め拡散層に形成した状態の電極を電解質膜に接合する。すなわち、電解質膜上で触媒層を形成しないため、触媒インク中の溶剤により、電解質膜が化学的損傷を受けることはほとんどない。また、触媒インクによる電解質膜の膨潤及びその後の乾燥による膜の収縮もないため、電解質膜が膨潤及び収縮による機械的損傷もほとんど受けることがない。
【００１９】
次に、ステップＳ１４では、電極を接合した電解質膜を所定の大きさに切断する。これにより、燃料電池用膜−電極接合体が得られる。本実施形態のように、電解質膜に電極を接合した後に所定の大きさに切断することにより、切断時における電解質膜の機械的損傷を緩和することができる。なお、所定の大きさは、組み立てる燃料電池セルの大きさにより適宜設定される。
【００２０】
このようにして得られた燃料電池用膜−電極接合体は、その後、燃料電池セル組み立て工程に搬送され、燃料電池用膜−電極接合体の両側に、ステンレス板等の金属系セパレータ又は黒鉛板等のカーボン系セパレータ等が配置され、燃料電池セルが組み立てられる。
【００２１】
本実施形態の燃料電池用膜−電極接合体の製造方法により得られる膜−電極接合体は、例えば、携帯電話、携帯用パソコン等のモバイル機器用小型電源、自動車用電源、家庭用電源等の燃料電池用膜−電極接合体として使用することができる。
【図１】
2010165539.tif 000003
(57)【要約】【課題】  痴漢に遭遇した時に、ネックレスとして使用している本発明品の胸のスイッチを押すことにより「痴漢」等の発音が背中側であり、痴漢者を驚かせる、又、スイッチを押し続けることで音声が繰り返され、さらにスイッチを強く押し込むことにより音量を大きくすることができ、痴漢者を撃退するようにした音声による痴漢撃退器を提供する。【解決手段】  「痴漢」等と録音されたスイッチ付き音声再生器本体にスピーカーを、ネックレスぐらいの長さの電線で輪状に接続し、スイッチ付き音声再生器本体には、音声の繰返しや、音量の変更装置を設けることを特徴とする音声による痴漢撃退器。【選択図】図１
2010165326.tif 000002
【特許請求の範囲】
【請求項１】
「痴漢」と録音されたスイッチ付き音声再生器本体に、スピーカーを、電線の＋、−、を別々に分けて輪状に接続することを特徴とする音声による痴漢撃退器。
【請求項２】
録音された音声を「痴漢です」又は、「痴漢がいます」のように助詞、助動詞、動詞を変えた請求項１の音声による痴漢撃退器。
【請求項３】
録音された音声を繰り返し発音可能にした請求項１、請求項２の音声による痴漢撃退器。
【請求項４】
「痴漢」と録音された音声の音量を変更可能にした請求項１、請求項２、請求項３の音声による痴漢撃退器。
【請求項５】
スイッチをスイッチ付き音声再生器本体より独立させた請求項１、請求項２、請求項３、請求項４の音声による痴漢撃退器。
【請求項６】
電線の＋、−、を片側に束ねて１本化し、他方側は紐にして輪状を形成させた請求項１、請求項２、請求項３、請求項４、請求項５の音声による痴漢撃退器。
【発明の詳細な説明】
【技術分野】
【０００１】  本発明は、乗物等の中で痴漢に遭遇した時に、痴漢者を音声にて撃退することに関するものである。
【背景技術】
【０００２】  従来は、乗物等の中で痴漢に遭遇した時に、車内で空いている場所があればそこに移動するが、満員のことが多く、又、勇気のある者は、「やめてください」等、声を出して相手の手を捕まえて撃退していたが、多くの者は我慢し耐えていた。
【発明の開示】
【発明が解決しようとする課題】
【０００３】  そのために、次のような問題点があった。
（イ）  乗物等の中での痴漢は、通勤時等の車内が混んでいる状態の時に多く発生して          おり、場所を移動し逃げることが、なかなか困難であった。
（ロ）  痴漢に遭遇した時に「やめてください」とか「痴漢です」と言えば周囲の者が          気付き、痴漢者も驚き、撃退できるが声を出すことは大変な勇気が必要で、ほ          とんどの者は、声も出せず泣き寝入りとなっていた。
本発明は、以上の問題点を解決するためになされたものである。
【課題を解決するための手段】
【０００４】  「痴漢」と録音されたスイッチ付き音声再生器本体に、スピーカーを、電線の＋、−、を別々に分けて輪状に接続し、本発明品はネックレスのように首にかけて使用する。スピーカーとスイッチの位置関係は、スピーカーは首の後側になるようにし、スイッチは胸側になるようにして使用する、以上を特徴とする音声による痴漢撃退器。
【発明の効果】
【０００５】  痴漢に遭遇した時に、気の弱い者がでも、大変な勇気を必要とせず、自分で声を出すという恥ずかしい思いをしなくても、スイッチを押すだけで周囲の者にわかってもらえ、痴漢を驚かせ撃退することができる。痴漢は背中側で行為を行う事が多いので、背中側での発声は効果的です、行為をなかなかやめない時は、スイッチを押し続けることで音声が繰り返される、又、スイッチを強く押し込むことにより音量を上げることができる。
【発明を実施するための最良の形態】
【０００６】  以下、本発明の実施の形態について説明する。
（イ）  「痴漢」と録音されたスイッチ付き音声再生器本体（１）に、スピーカー（２          ）を、ネックレスぐらいの長さの電線（３）、（４）を＋と−に分け輪状にし          て接続する。
（ロ）  録音された音声を「痴漢です」とか「痴漢がいます」のように助詞や助動詞や          動詞を変えて設定してもよい。
（ハ）  スイッチを押し続づけることにより、録音された音声を繰り返し再生できるよ          うに設定してもよい。
（ニ）  「痴漢」と録音された音声のスイッチを強く押し込むことにより、音量を変え          るようにしてもよい。
（ホ）  本発明では、スイッチをスイッチ付き音声再生器本体（１）に取り付けてある          がスイッチ（５）を独立させて使用してもよい。
（ヘ）  電線（３）（４）は＋と−の２本に分けているが、この２本を束ねて、他方側          は電線ではない紐にしてもよい。
（ト）  本発明品は、ネックレスとして使用できるので、スイッチ付き音声再生器本体          （１）やスピーカー（２）や電線（３）（４）の形状や色彩を、見た目に良く          する。
（チ）  電線（３）（４）を少し長くし、スイッチ付き音声再生器本体（１）を、ポケ          ットに入れて保持するようにしてもよい。
（リ）  スイッチをスイッチ付き音声再生器本体（１）の中央部に取付けているが、ス          イッチ付き音声再生器本体（１）の周辺任意部に取り付けてもよい、
本発明は以上のような構成で、これを使用するときは、スピーカー（２）を背中側（首の後）にして、スイッチ付き音声再生器本体（１）を胸側にしてネックレスのようにして使用する。
不幸にして、痴漢に遭遇した時には、胸側のスイッチ（５）を、ためらうことなく、すぐに押す、すると自分の後方で「痴漢」とか「痴漢がいます」等設定してある音声が発せられ痴漢者は驚きすぐにやめる、もし、やめない様なら、スイッチ（５）を押し続ける事により、設定された音声が繰返し発音され痴漢から逃れることができる、それでもだめなら、スイッチを強く押し込むことにより音量を上げることができる。
【図面の簡単な説明】
【０００７】
【図１】  本発明の斜視図
【図２】  本発明の使用状態を示す正面の斜視図
【図３】  本発明の使用状態を示す背面の一部切除の斜視図
【符号の説明】
【０００８】    １  スイッチ付き音声再生器本体
２  スピーカー
３  電線
４  電線
５  スイッチ
【図１】
2010165326.tif 000003
【図２】
2010165326.tif 000004
【図３】
2010165326.tif 000005
(57)【要約】【課題】  書籍等にはさんで使用し、読みかけの行や文字を指すしおり、を提供する。【解決手段】  書籍等にはさんで使用するしおりは、特定の文字もしくは行等を指す指示部を有し、当該しおりの裏面には裏面粘着部が設けられていることを特徴とする構成からなる。  当該しおりの素材は特定するものではないが、可撓性を有するものが望ましい。  例えば、野球のホームベース状のかたちにおいて三角形の頂点部分を読みかけの書籍等の特定の行や文字等を指す支持部とし、当該しおりの裏面に粘着部を設ける。なお、当該しおりは透明な素材、もしくは上面から文字等が透けて見える程度に着色した素材からなってもよい。使用方法は、当該指示部を読みかけの書籍等の行もしくは文字部分に指して使用する。【選択図】  図２
2010017924.tif 000002
【特許請求の範囲】
【請求項１】
透明もしくは半透明の軟樹脂よりなる書籍等に使用するしおりにおいて、特定の文字もしくは行等を指す指示部を有し、当該しおりの裏面には粘着部が設けられていることを特徴とする、しおり。
【発明の詳細な説明】
【技術分野】
【０００１】
本発明は、書籍等に挟んで使用するしおりに関するものである。
【背景技術】
【０００２】
従来しおりは書籍等に挟んで使用する紙もしくは皮もしくはプラスティックもしくは金属等可撓性のある素材よりなるものが知られている。
【０００３】
過去の特許文献等については以下のものがある。
【特許文献１】特許公開２０００−２０３１７８
【特許文献２】特許公開２００３−３４１２５５
【特許文献３】登録実用新案第３０９４８６５
【特許文献４】登録実用新案第３０２４３１３
【発明の開示】
【発明が解決しようとする課題】
【０００４】
従来しおりは書籍６等に挟んで使用するのであるが、当該しおりの裏面に粘着部５を設け当該しおりが書籍６等から落ちてしまうのを防止したり、読みかけのページのみでなく読みかけの行をも指すようにする工夫されているものがあるが、単に読みかけのページや行７を指すのみで、特定の行もしくは文字７等を指す指示部４が設けられていなかった。
本発明は、このような問題点を解決するためになされたものである。
【課題を解決するための手段】
【０００５】
本発明のしおり１は以下のような構成になっている。
当該しおり１の素材は柔樹脂で透明もしくは半透明であればよく、特定の樹脂に制限するものではないが、可撓性を有する素材からなるものが望ましい。当該しおり１は、特定の文字もしくは行７等を指す、指示部４を有し、当該しおりの裏面には粘着部５が設けられている。
なお、当該しおり１は、透明な素材からなってもよく、もしくは透きとおって当該しおり１の上面を通して文字７等が読める程度に半透明状に着色されていてもよく、さらには当該しおり１には当該指示部４を複数個設けてもよい。なお当該しおり１の裏面には粘着部５が設けられているため書籍６等に対して着脱自在となる。
なお当該しおり１の形状を特定するものではない。
【発明の効果】
【０００６】
本発明のしおり１を使用すれば、裏面に粘着剤が塗布されているので当該しおり１が書籍等から脱落せず、かつ読みかけの行のみならず特定の文字をも指すことができる。
なお、本発明によるしおり１を例えばプラスチックなどの透明な素材、もしくは薄く着色し、当該しおり１を通して書籍の文字等が読めるように半透明状にしておけば、読み始める際には図２に示すように当該しおりをとりはずすことなく読み始めることができという便利さを享受することができる。
さらに、当該しおりは特定の文字をも指すことができるので、しおりとしてのみならず、付箋としても使用することができ、「しおり付箋」ともよべて、その使用範囲を広くすることができるしおりでもある。
【発明を実施するための最良の形態】
【０００７】
本発明によるしおり１の素材は、特定の素材に限定するものではないが、可撓性を有するものであることが望ましい。また、当該しおり１の形状を特定するものではい。
理解を深めるため、図１に示すように野球のホームベース状（以後単に「ホームベース状」という）の透明な素材なるしおり１を基本として実施例を示しつつ論を進める。
【実施例１】
【０００８】
当該しおり１の裏面の一部もしくは全部には粘着剤を塗布した粘着部５を設ける。このことにより、当該しおり１は書籍等へ粘着し滑り落ちることがなくなり、同時に着脱自在となるので、当該しおり１を剥がして他のところに貼ることが可能になる。
ホームベース状の当該しおり１の図１でいえば三角形を形成する二つの辺の頂点の部分を指示部４とよぶことにする。当該指示部４は適宜な色で着色しておいてもよい。このことにより、透明な当該しおり１を書籍６等に貼り付けても当該しおり１の存在箇所が明瞭になる。
使い方としては、当該指示部４を読みかけの行もしくは文字７等を指すように置いておく。図２は使用状況を示す斜視図であるが、当該しおり１を透明な素材で成形しておけば図２に示すように行も文字も透けて見えるので、当該しおり１を剥がす必要もなくそのまま読み続けることが可能となる。また、当該しおり１の置き方（貼り方）は斜めでもよく逆さまでもよく、置き方を限定するものではない。
【実施例２】
【０００９】
図は省略するが、当該しおり１に薄く着色する方法ももある。書籍等に貼っても当該しおり１の上から文字等が透けて見える程度に着色するのである。
実施方法は上記（０００８）に記載した実施例１と同じである。着色してあるため、当該しおり１の所在は透明な場合より明確になる。
【実施例３】
【００１０】
なお、当該しおり１の形状はホームベース型以外にも図３の（Ａ）や（Ｂ）に示すように、方形状の小片とし、当該小片の中に適宜なデザインを施し、全体として四角等の方形状のしおりの中に当該指示部４を設けるようにしてもよい。
もちろん、デザインを設けることなく方形状の小片に単に指示部４を設けるだけにしてもよい。
さらに当該指示部４が形成されておればよく、当該しおり１の形状を特定するものではなく、また当該指示部４の数も限定するものではない。
【実施例４】
【００１１】
図４の（Ａ）はでんでん虫の形状を当該しおり１としたもので、角（ツノ）に当たる部分を当該指示部４としている実施例である。
さらに図４の（Ｂ）は、帽子をかぶった人形を当該しおり１としたもので、帽子の先端部分を当該指示部４としている実施例である。
【産業上の利用可能性】
【００１２】
上記のようなしおり１は成型も容易であり、上述したように書籍６から脱落することもなく、また透明な素材を用いれば書籍から剥がすことなく読み始め（読み続ける）ことができ、産業上容易に利用できる。
【図面の簡単な説明】
【００１３】
【図１】本発明のしおりの斜視図
【図２】本発明のしおりの使用状況を示す斜視図
【図３】本発明の他の実施例を示すしおりの正面図
【図４】本発明の他の実施例を示すしおりの正面図
【符号の説明】
【００１４】
１しおり
２しおり表面
３しおり裏面
４指示部
５粘着部
６本
７読みかけの行（文字）
８しおりのデザイン
【図１】
2010017924.tif 000003
【図２】
2010017924.tif 000004
【図３】
2010017924.tif 000005
【図４】
2010017924.tif 000006
(57)【要約】      （修正有）【課題】螺子式車高調整機能付衝撃緩衝装置の車高調整を強力且つ容易に可能とし、種々の螺子式車高調整機能付衝撃緩衝装置に適合する車高調整工具を提供する。【解決手段】プライヤー１の挟持部に突起２を設け、これで車高調整機能付衝撃緩衝装置を挟持することで、種々の螺子式車高調整機能付衝撃緩衝装置に適合し、外れにくく強力に車高調整を可能とする。また、ウォータポンププライヤーを使用することで開き度合いを調節自在にする。【選択図】図１
2010017839.tif 000002
【特許請求の範囲】
【請求項１】
基部をプライヤーとし、挟持部に突起を設け、螺子式車高調整機能付衝撃緩衝装置の車高調整螺子を挟持することで種々の車高調整螺子に使用でき、強力に回転させることができる車高調整用工具
【請求項２】
基部のプライヤーはウォーターポンププライヤーを使用することで開き度合いを調整自在にすることができる車高調整用工具。
【発明の詳細な説明】
【技術分野】
【０００１】  この発明は螺子式車高調整機能付衝撃緩衝装置の車高調整を簡易にするための装置に関する。
【背景技術】
【０００２】  従来より螺子式車高調整機能付衝撃緩衝装置の車高調整は挟持されることなく支持されてきたが、挟持して調整できる工具は現在のところ見当たらない。
【発明の開示】
【発明が解決しようとする課題】
【０００３】  前記したように螺子式車高調整機能付衝撃緩衝装置の車高調整は支持する工具で行われることが多いが、螺子式車高調整機能付衝撃緩衝装置の形状により、それ専用の工具が必要でありながら、外れやすく力が入りにくかった。
本発明は以上のような従来からの車高調整に関わる課題を解決するために発明されたものである。
【課題を解決するための手段】
【０００４】  課題を解決する手段として本発明はプライヤー挟持部に突起を設けその主要部を構成した。
すなわち、螺子式車高調整機能付衝撃緩衝装置を挟持する事により外れることを防止し、且つ強力に車高調整を可能とするよう構成する。
【発明の効果】
【０００５】  本発明によれば、狭持部に突起を設けたプライヤーにて螺子式車高調整機能付衝撃緩衝装置を挟持する事により外れることを防止し、且つ強力に車高調整をすることが可能となる。また、ウォーターポンププライヤーを使用することで種々の車高調整機能付衝撃緩衝装置へ対応可能である。
【発明を実施するための最良の形態】
【０００６】  以下、本発明の実施形態について説明する。
図において、１はプライヤーで挟持部に２の突起が設けられる。３の車高調整螺子を挟持することで従来の支持に比べ外れにくくなるため、力が入りやすくなる
【実施例】
【０００７】  本発明を使用するには螺子式車高調整機能付衝撃緩衝装置を挟持し、回動させる。
【産業上の利用可能性】
【０００８】  本発明の概要については既述したが、本発明は挟持することにより種々の螺子式車高調整機能付衝撃緩衝装置に対応し、外れにくく力を入れやすいところにその特徴がある。
従来のように支持では外れやすく、力が入りにくかった。
しかるに本発明は挟持することにより外れにくく力が入れやすいため車高調整がスムーズに行える。また、固着している車高調整機能付衝撃緩衝装置も効率的に問題解決することが可能となる。
【図面の簡単な説明】
【０００９】
【図１】  本発明の挟持状態を示した平面図である。
【図２】  本発明の斜視図である。
【符号の説明】
【００１０】  １  プライヤー
２  突起
３  車高調整螺子
【図１】
2010017839.tif 000003
【図２】
2010017839.tif 000004
(57)【要約】【課題】  電気工事における作業現場まで資材道具を収容して持運ぶためのバックに関し、作業準備時間を短縮すると共に必要な道具の収容もれを防止する。【解決手段】  布製および化学繊維素材によりなる折り畳み自在バックと上記バック底面に装着される剛性素材によりなるボックスからなり、上記ボックス体内にはコードリールにより外部電源をボックス側面に付けたコンセント口にとり、各作業に必要な電源を供給する、また、ボックス側面に露出した１８０度回転自由の照明灯を有する。【選択図】図１
2010017838.tif 000002
【特許請求の範囲】
【請求項１】
布製および化学繊維からなる素材のいずれかにて折りたたみ自在のバックと上記バックの底面に装置される樹脂系剛性素材からなるボックス、上記ボックス内には、コードリール（バネ式）により、コードが伸縮する電源プラグ、この電源プラグを通して外部電源（自家発電機、入力定格電圧ＡＣ１００Ｖにも対応する）を取入れ、その取入れた電気をボックスの表面に露出するコンセント口を３個以上設けこのコンセント口に、電源プラグを差込み接続することにより作業用機材等が可動する、また、万一に備え、漏電や過電源に漏電ブレーカーを備える。
その他、ボックス外側に取付けた１８０度回転を自由とする照射灯が照射スイッチにより可動を可能とする、また、その電源は特殊発電機を搭載し３分間の手動式充電により、約６０分（３灯ＬＥＤ、点灯ができる）点灯ができる点灯部分は１８０度回転角度を要してり、調節することにより作業の安全性を計ると同時に作業を容易にすることができること等をもった作業用バックである。
上記請求項Ｉ記載の件は実願２００７−００１４１８でも出願している通りである。
【発明の詳細な説明】
【技術分野】
【０００１】  本発明は、移動作業を主たる目的とし、取り回しが良く、且つ、敏速に作業ができるように改善された多収納、軽量、折り畳むことにより小型（例えば、電線針金等、電気工事では消費される物等は工事終了時持帰る、ことが無くなる。）いわば携帯バックというべき電気工事、その他の工事等に関するものである。
【背景技術】
【０００２】  一般的に工事等の場合にはその作業現場で必要なもの、コードリール、工具箱電線（電気工事の場合）、等とそれぞれ別々に運ぶものである、または別々に同時に持運ぶものである。
特開平１０−３３７６８０−公知文献１−にはコードリールを備えた工具箱特開平７−２３２７７５号、広報−公知文献２−には照明器具を備えた工具箱が記載されている。
【発明の開示】
【発明が解決しょうとする課題】
【０００３】  しかしながら、本発明はこれらに記載の考案を単に寄せ集めたものではありません。
すなわち、前者の考案の場合、本来独立して携帯されるコードリールを工具箱に収容するので、工具箱の容積がその分減少して収容力が低下するという問題が同じく工具箱内に本来独立して携帯される道具を予め収容するとしてもその数は一つが限界であり、それとても工具箱本来の収容力を減殺する結果となります。
この場合、工具箱の容積を大きくすれば収容力も増大するが、反面、現場での取り回しに難が生じることにより実用的とは言えない。
【課題を解決するための手段】
【０００４】  これに対し、本発明はコードリール、コンセント、照明灯は剛性素材によりなるボックス内に収容しこのボックスの上に布製および化学繊維素材による折り畳み自在のバックを設けています。
これにより、本発明においては作業バック本来の収容力を減することが防止されます。
その上、作業バックは布製および化学繊維素材のいずれかにより折り畳み自在に構成され現場で必要な資材や道具を取出したあとは折り畳むことにより体積が収縮しますすのでコードリール、コンセント、照明灯を収容したことにより大型化して、現場での取り回し性が悪くすることがありません。
また、作業現場によっては要求される上履も同時に収容できるポケットをボックス外側に設け、この作業バック一つで総ての物を携帯可能とするものである。その外、ボックス内工具を収容できる小部屋を設けるなど、それぞれの使い分けにより小部屋を設けることもでき、使い勝手のよい、本発明は利便なバックに仕上げ、それらを提供します。
前記の公知案には前記０００３の問題点の着想のヒントは何等開示されていなく、勿論本発明の構成に至るヒントも何等開示されておりません。
【発明の効果】
【０００５】  本発明の作業バックは、作業現場に向うにあたって、必要工具および資材等をひとまとめにすることが可能なため、忘れ物の防止、各作業の準備時間の短縮、整理のしやすさ（作業終了時等を含む）を、提供するものである。
【発明を実施するための最良の形態】
【０００６】  本発明の最良の実施形態を図面で示す。
【図面の簡単な説明】
【０００７】
【図１】  作業バックの実施形態例斜視図
【図２】  同上  異なる角度からの斜視図
【図３】  同上  折り畳んだ状態を示す斜視図
【図４】  同上  断面図
【図５】  ポケットを付けた状態を示す斜視図
【図６】  本発明の作業バックにアルミニューム合金による、持ち手を付けた図。底面図
【図７】  本発明の電気回路図
【図８】  本発明の電気回路図
【図９】  本発明の電気回路図
【符号の説明】
【０００８】（１）    ボックス
（２）    電気プラグ
（３）    コードリール
（４）    コンセント
（６）    コンセント
（８）    照明灯
（１０）  バック
（２０）  ポケット
（３０）  キャスター
（３１）  手持ハンドル（引きのばし型）
（３２）  （発電機）手回しの図
【図１】
2010017838.tif 000003
【図２】
2010017838.tif 000004
【図３】
2010017838.tif 000005
【図４】
2010017838.tif 000006
【図５】
2010017838.tif 000007
【図６】
2010017838.tif 000008
【図７】
2010017838.tif 000009
【図８】
2010017838.tif 000010
【図９】
2010017838.tif 000011